(57)【要約】【課題】機能部材などのインサート物をシート材で確実かつ簡易に保護することのできる、シート被覆物の製造方法を提供する。【解決手段】シート被覆物の製造方法は、基材１０の上にインサート物２０を載置する工程と、加熱されたシート材２５を、インサート物２０の露出部分を覆い隠すように、基材１０の上方より加圧して基材１０に接着する工程とを備えている。【選択図】図１
2020131608.tif 000002
【特許請求の範囲】
【請求項１】
基材の上にインサート物を載置する工程と、
加熱されたシート材を、前記インサート物の露出部分を覆い隠すように、前記基材の上方より加圧して前記基材に接着する工程とを備えたことを特徴とする、シート被覆物の製造方法。
【請求項２】
請求項１において、
前記基材は周縁部が上方に突出しており、
前記シート材を前記周縁部の内壁面に接着するようにしたことを特徴とする、シート被覆物の製造方法。
【請求項３】
請求項１または２において、
前記基材は孔が開設されており、該孔の前記基材の前記インサート物を載置した面と反対側の面から前記インサート物の一部が露出することを特徴とする、シート被覆物の製造方法。
【請求項４】
請求項１〜３のいずれか１項において、
前記シート材の表面が水受け面とされることを特徴とする、シート被覆物の製造方法。
【発明の詳細な説明】
【技術分野】
【０００１】
本発明は、基材の表面をシート材で被覆したシート被覆物の製造方法に関する。
【背景技術】
【０００２】
この種のシート被覆物として、製品の主たる部材をなす基材の上にインサート物を積層し、そのインサート物の表面全体をシート材で被覆したものがある。このようなシート被覆物として例えば、板状の基材に、断熱材やクッション材、面状ヒーターなどの機能部材よりなるインサート物を積層し、その上をシート材で被覆した、浴室用床パンや洗面室カウンターなどの製品が知られている（例えば、特許文献１参照）。
【０００３】
特許文献１に示したものは、基材の上に機能部材を配置し、さらに機能部材の表面全体をシート材（表面材）で接着して覆う方法が採られている。つまり、このシート被覆物は、機能部材が成形品とシート材とに挟まれて、機能部材への水の浸入が起こらないように保護される構成とされている。
【先行技術文献】
【特許文献】
【０００４】
【特許文献１】特開２０１５−１９０２８６号公報
【発明の概要】
【発明が解決しようとする課題】
【０００５】
しかしながら、特許文献１のように機能部材を矩形パン状の基材の内底面に配する場合、矩形パン状体の内壁面と機能部材との間に隙間ができ、機能部材の表面のみにシート材を配するだけでは機能部材の側端面が露出するおそれがある。つまり、機能部材の表面をシート材で覆うだけでは、機能部材の保護としては不十分である。シート材を、機能部材の側端面をも覆うように、隙間などができないように被覆すればよいが、その作業はきわめて困難とされる。
【０００６】
また、機能部材を保護する方法として、基材の裏側に配置する方法も想定できるが、機能部材が面状ヒーターである場合などには、基材の厚みのせいで、面状ヒーターの機能が十分に発揮されない可能性がある。よって、この方法も良策とは言えない。
【０００７】
本発明は、このような事情を考慮して提案されたもので、その目的は、機能部材などのインサート物をシート材で確実かつ簡易に保護することのできる、シート被覆物の製造方法を提供することにある。
【課題を解決するための手段】
【０００８】
上記目的を達成するために、本発明のシート被覆物の製造方法は、基材の上にインサート物を載置する工程と、加熱されたシート材を、インサート物の露出部分を覆い隠すように、基材の上方より加圧して基材に接着する工程とを備えたことを特徴とする。
【発明の効果】
【０００９】
本発明のシート被覆物の製造方法は上述した構成とされているため、機能部材などのインサート物をシート材で確実かつ簡易に保護することができる。
【図面の簡単な説明】
【００１０】
【図１】本発明の一実施形態に係る、シート被覆物の製造方法の概略手順を示す図である。
【図２】（ａ）は基材の一例を示す斜視図、（ｂ）はインサート物を載置した基材の斜視図、（ｃ）は（ｂ）の一部の拡大部分縦断面図である。
【図３】（ａ）はシート被覆物の製造方法で形成されたシート被覆物（トリミング前）の斜視図、（ｂ）はシート被覆物の製造方法で形成されたシート被覆物（トリミング後）の斜視図、（ｃ）は（ｂ）のＸ部を模式的に示した部分拡大斜視図である。
【発明を実施するための形態】
【００１１】
以下に、本発明の実施の形態について、添付図面をもとに説明する。まず、シート被覆物の製造方法（以下では、本製造方法と略す）の概略基本手順について記述する。
【００１２】
本製造方法は、基材１０の上にインサート物２０を載置する工程と、加熱されたシート材２５を、インサート物２０の露出部分を覆い隠すように、基材１０の上方より加圧して基材１０に接着する工程とを備えている（図１参照）。
【００１３】
ここで、基材１０としては種々の素材のものを想定できるが、後述するように加熱にて基材１０の上にシート材２５の接着を行うため、加熱にて変形しないものとすることが望ましい。一方、シート材２５としては、後述するように加熱にて軟化する素材であることが望ましく、例えば熱可塑性樹脂シートが好適に使用され得る。
【００１４】
ついで、本製造方法の詳細について説明する。以下では、本製造方法で用いられる基材１０が、周縁部１１が上方に突出した矩形パン状体１０であることを例に挙げて説明する。矩形パン状体１０を基材１０としたシート被覆物１としては、例えば浴室用床パン１が挙げられる（図２、図３参照）。つまり、浴室用床パン１は、その基材１０である矩形パン状体１０の内底面１４にインサート物２０を積層し（図２参照）、シート材２５で被覆した構成（図３参照）とされる。浴室用床パン１用のインサート物２０としては、面状ヒーター２０などの機能部材２０が挙げられる。
【００１５】
図２（ａ）に示すように、矩形パン状体１０の内底面１４の端縁部には排水口１８が形成されており、底部（内底面１４）は、その排水口１８に向けて水が流れるように水勾配をつけて形成されている。この内底面１４は、２つの折曲ライン１５で区分された３つの平面よりなる。
【００１６】
本製造方法では、浴室用床パン１の製造装置として、個別に減圧可能とした上下チャンバーボックス３１、３５を有した真空・圧空成形機３０（以下、成形機３０という）が用いられる（図１（ａ）参照）。この成形機３０は、種々の基材の表面にシートやフィルムを接着するための装置である。
【００１７】
上チャンバーボックス３１と下チャンバーボックス３５とは、それらの開口部どうしが向き合い、開閉（開口部間の離反／近接）自在とされており、閉じたときには内部に閉空間が形成される構成とされている。なお本例では、開閉が上チャンバーボックス３１の上下移動によりなされる。
【００１８】
上チャンバーボックス３１は、内部空間を加熱するヒーター３２を有している。上チャンバーボックス３１には上駆動装置３３が併設されており、この上駆動装置３３により、上チャンバーボックス３１の開閉動作およびヒーター３２のオン／オフ動作などがなされる。
【００１９】
下チャンバーボックス３５は内部に、基材１０を設置するための上下移動可能な設置テーブル３６を有している。下チャンバーボックス３５には下駆動装置３７が併設されており、この下駆動装置３７により、設置テーブル３６の上下動作がなされる。
【００２０】
また、この成形機３０は、上下チャンバーボックス３１、３５の開口部間にシート材２５を張架状態に配されるように保持するシート保持機３９を備えている。張架状態に配されたシート材２５は、上下チャンバーボックス３１、３５の開口部どうしが閉じているときには、図１（ａ）に示すように、開口部間に挟まれた状態となる。成形機３０はさらに内部空間を減圧するための真空タンクおよび内部空間を加圧するための圧空タンクを有しているが、これらについては図示を省略した。
【００２１】
図１（ａ）〜（ｅ）、図２（ａ）〜（ｃ）および図３（ａ）〜（ｃ）を参照しながら、本製造方法の具体例について説明する。
【００２２】
まず、矩形パン状体１０の凹部に、機能部材２０（面状ヒーター２０）を載置する（準備工程、図１（ａ）および図２（ａ）（ｂ）（ｃ）参照）。面状ヒーター２０は、矩形パン状体１０の凹部の内底面１４に載置できる形状、寸法とされる。面状ヒーター２０は、図２（ｂ）に示すように、矩形パン状体１０の凹部の内底面１４がほとんど隠れる程度の形状、寸法であることが望ましい。
【００２３】
面状ヒーター２０は電力供給を受けるためのリード線２１が接続されており、このリード線２１を外部に露出させるために、矩形パン状体１０の内底面１４には外底面１７に通じる孔１６が開設されている（図２（ｃ）参照）。なお、リード線２１を孔１６から外部に導出してから、面状ヒーター２０を内底面１４に載置すればよい。
【００２４】
また、シート材２５の接着、被覆のために、あらかじめシート材２５の一方の面、または矩形パン状体１０の周縁部１１の上端面１１ａ、内壁面１２および面状ヒーター２０の上面などに接着剤を塗布しておけばよい。なお、面状ヒーター２０の裏面を接着剤で内底面１４に接着させて固定させておいてもよい。
【００２５】
つぎに、下チャンバーボックス３５内の設置テーブル３６に、面状ヒーター２０を凹部内に配した基材１０（矩形パン状体１０）を、面状ヒーター２０の上面が露出するように設置する（基材設置工程、図１（ａ）参照）。つまり、矩形パン状体１０は凹部が上方を向いた状態で設置テーブル３６に設置される。
【００２６】
矩形パン状体１０は、設置された状態では、その外底面１３が設置テーブル３６に接触し、かつ内底面１４のほとんどがインサート物２０で隠されているから、それら以外の部位が下チャンバーボックス３５内の内部空間に露出する。具体的には、矩形パン状体１０の周縁部１１の上端面１１ａ、内壁面１２、外壁面１３および面状ヒーター２０の上面は露出する。なお、上記準備工程は、基材１０を設置テーブル３６に設置した状態で実施してもよい。
【００２７】
この基材設置工程と相前後して、シート材２５を張架した状態となるようにシート保持機３９で保持して、シート材２５を上下チャンバーボックス３１、３５の開口部間に配置する（シート材設置工程、図２（ａ）参照）。そして、上下チャンバーボックス３１、３５を閉じ、それにより内部空間をシート材２５で上下２つのスペースに分ける（図２（ａ）参照）。
【００２８】
つぎに、上下チャンバーボックス３１、３５の内部を同時に真空となるように減圧し、上チャンバーボックス３１内をヒーター３２で加熱する（加熱工程、図２（ｂ）参照）。シート材２５は加熱されることで徐々に軟化していく。図２（ｂ）の２点鎖線に示すように、シート材２５は軟化して弛んだ状態になる。なお、上下チャンバーボックス３１、３５の減圧、空気導入については、各図に、上下チャンバーボックス３１、３５に対する横向きの２点鎖線で示した。
【００２９】
つぎに、下チャンバーボックス３５の設置テーブル３６を上方に移動させて、基材１０をシート材２５の裏面に押し付けていく。それと同時に、上チャンバーボックス３１内に大気を導入し、空気により上方からシート材２５を加圧して、基材１０の露出部分およびインサート物２０の露出部分にシート材２５を接着させる（一次成形工程、図２（ｃ）（ｄ）参照）。
【００３０】
さらに、上チャンバーボックス３１内に圧縮空気を導入し、シート材２５をさらに加圧してもよい（追加成形工程、図２（ｄ）参照）。
【００３１】
ついで、下チャンバーボックス３５内に大気を導入し、上チャンバーボックス３１を上方に移動させ、シート材２５で被覆された基材１０を取り出す（取り出し工程、図２（ｅ）参照）。
【００３２】
図３（ａ）は、取り出したシート材２５付きの基材１０（トリミング前のシート被覆物１）の斜視図である。このシート被覆物１は、一次成形工程の際に、シート材２５とともに面状ヒーター２０が下方に押圧されているから、矩形パン状体１０の内底面１４の折曲ライン１５が面状ヒーター２０の表面にシート材２５を介して表れている。排水口１８の表面の形状も同様に、シート材２５を介して表面に表れている。
【００３３】
その後、余剰シート材を取り除き、製品（トリミング後のシート被覆物１）とする（トリミング工程、図３（ａ）（ｂ）参照）。この工程では、この浴室用床パン１を浴室に設置することで露出しない部分である外壁面１３や、排水口１８の開口部分に付着した余剰シート材を取り除けばよい。このようにして、製品とされる浴室用床パン１が得られる。
【００３４】
シート材２５は、以上のような成形機３０を用いることで、矩形パン状体１０や面状ヒーター２０の露出部分などの３次元表面に対応して、矩形パン状体１０の内壁面１２にも、途中で途切れることなく隙間なく接着される。したがって、面状ヒーター２０と矩形パン状体１０の内底面１４の寸法関係により、図２（ｃ）のように、入隅部に隙間空間１９ができている場合でも、その隙間空間１９にシート材２５が入り込み、隙間空間１９は埋められ、面状ヒーター２０は露出することなく覆われる（図３（ｃ）参照）。
【００３５】
このように、本製造方法によれば、機能部材２０などのインサート物２０をシート材２５で隙間なく被覆することで、インサート物２０を確実かつ簡易に保護することができる。また、本製造方法を実施すれば、基材１０が上記のような矩形パン状体１０である場合でも、インサート物２０とともに、周縁部１１のすべての内壁面１２を覆うようにシート材２５が接着され得るので、インサート物２０は露出することなく保護される。特に、成形するシート被覆物１が浴室用床パン１である場合など、表面が水濡れするものには有効である。
【００３６】
また、基材１０が例えばリード線２１導出用の孔１６を有したものでは、リード線２１が孔１６から導出するように機能部材２０を載置すればよく、そのため電気的配線を準備工程において確実に行うことができる。また、インサート物２０を載置した面の孔１６やリード線２１はシート材２５で覆われているため、水密性を担保することができる。なお、インサート物２０を載置した面と反対側の面の孔１６からリード線２１が露出していても、インサート物２０を載置した面の側は、インサート物２０の露出部分全体がシート材２５で覆われているため、反対側の面の水密性も担保することができる。
【００３７】
表面が水濡れするシート被覆物１としては、浴室用床パン１に限られず、洗面用カウンターが挙げられる。シート被覆物１としては水濡れのおそれのないものであってもよく、基材１０にインサート物２０を積層し、その上をシート材２５で覆ったものであればどのようなものでもよい。また、インサート物２０としては、断熱材、クッション材などであってもよい。
【符号の説明】
【００３８】
１          シート被覆物（浴室用床パン）
１０        基材（矩形パン状体）
１１        周縁部
１１ａ      上端面
１２        内壁面
１６        孔
２０        インサート物（機能部材、面状ヒーター）
２５        シート材
【図１】
2020131608.tif 000003
【図２】
2020131608.tif 000004
【図３】
2020131608.tif 000005